(57)【特許請求の範囲】
【請求項１】
軸筒内に筆記体が収容された筆記具であって、前記軸筒の後部に尾栓を螺合によって固定すると共に、前記筆記体の後部と軸筒後端部との間に弾撥部材と硬質部材を介在させ、また、その硬質部材を前記軸筒と尾栓とで挟持したことを特徴とする筆記具。
【発明の詳細な説明】
【０００１】
【発明の属する技術分野】
本発明は、軸筒内に筆記体が収容された筆記具に関する。
【０００２】
【従来の技術】
最近、見栄えやデザイン上の観点から、軸筒やキャップなどを共通化し、その軸筒の内部に収容する筆記体を変えた筆記具が種々知られている。その筆記体の例としては、油性ボールペンや水性ボールペン、万年筆、シャープペンシルと言った物が挙げられる。そして、それらの筆記体も従来から使用している物を適用することが多い。軸筒やキャップなどを新規に設計・製造するのに加え、各筆記体も新規に設計・製造すると多額のコストを費やしてしまうからである。
ここで、前記筆記体は、従来からの物を使用しているため、種々の長さとなってしまっている。そのため、筆記体と軸筒後端との間にコイルスプリングを介在させ、そのコイルスプリングの伸縮量によって前記種々の長さの筆記体に対応させている。
【０００３】
【発明が解決しようとする課題】
しかし、前記コイルスプリングによって種々の長さの筆記体に対応させることはできる物の、短い筆記体にあってはコイルスプリングが伸張しているため、筆記圧如何によっては筆記体が軸筒内に没入してしまったり、筆記部近傍がぐらついたりしてしまっていた。
また、長い筆記体にあっては軸筒に筆記体を装着する際、コイルスプリングをかなりの力で圧縮させなければならず、その装着作業が面倒であり、一方、筆記体を交換する際においてはコイルスプリングや筆記体が軸筒から勢いよく飛び出してしまう危険性があった。
【０００４】
【課題を解決するための手段】
本発明は、上記問題点に鑑みてなされたものであり、軸筒内に筆記体が収容された筆記具であって、前記軸筒の後部に尾栓を螺合によって固定すると共に、前記筆記体の後部と軸筒後端部との間に弾撥部材と硬質部材を介在させ、また、その硬質部材を前記軸筒と尾栓とで挟持したことを要旨とする。
【０００５】
【実施例】
万年筆とボールペンのペア製品を挙げ説明する。軸筒とキャップを共通化させた例である。図１は、万年筆を示す図であり、軸筒１は、後端に尾栓２を螺着していると共に、内側に内軸３を有している。以下、具体的に説明する。赤や青色などの有色半透明な樹脂材質からなる軸筒１の前端には、ねじ部材４が圧入されており、そのねじ部材４には表面がメッキされた中軸３が圧入されている。この中軸３と前記軸筒１との間には、僅かながらではあるが隙間が形成されている。即ち、半透明な軸筒１から入射する光をメッキされた中軸３で反射、屈折させることによって軸筒１の厚さにおける奥行き感を発生させているのである。一方、中軸３の後端には、雄ねじが形成されており、尾栓２が螺合によって固定されている。符号５は、軸筒１と尾栓２との間に挟着されたリング部材であって、装飾効果を高めている。
また、前記ねじ部材４の内面には、雌ねじが形成されており、ペン先６を有する万年筆ユニット７が着脱自在に取り付けられている。その万年筆ユニット７の後端には、インキが充填されたインキカートリッジ８が圧入によって着脱自在に嵌め込まれている。
符号９は、前記ペン先６を覆うキャップであるが、実質的にはそのキャップ９の内側に固定された樹脂製の内キャップ１０によって前記ペン先６が密閉した状態で覆われている。また、符号１１は、クリップであって天冠１２によって前記キャップ９に固定されている。
【０００６】
次に、前記軸筒１や尾栓２、並びに、キャップ９を共通化させたボールペンについて、
図２を基に説明する。軸筒１の内側には前記万年筆と同様に中軸３が装着されている。そして、その中軸３の後部には、尾栓２が螺着・固定されているが、その尾栓２と中軸３との間には、金属や樹脂などの硬質な材質からなる筒状部材１３の鍔部１４が挟着されている。その筒状部材１３の前方には、コイルスプリング１５が圧入・保持されているが、そのコイルスプリングに変え、板バネやスポンジなどの弾撥部材としても良い。そして、そのコイルスプリング１５の前端には、ボールペンユニット１６のインキタンク部１７の後端部が当接している。実際には、インキタンク部１７の後端に取り付けられた蓋体１８がコイルスプリング１５に当接している。符号１９は、インキタンク部１７の前方に継ぎ手部材１９を介して固定されたボールペンチップであって、そのボールペンチップ１９の先端には、コイルスプリングなどの弾撥部材２１によって前方に付勢されたボール２２が回転自在に装着されている。また、符号２３は、ねじ部材４に螺着された前軸であって、その前軸２３の前端には前記ボールペン１７の軸筒１からの飛び出しを防止する先部材２４が螺着している。即ち、先部材２４を前軸２３に螺着させることによってボールペンユニット１６を後方に移動させ、前記コイルスプリング１５に押し付けているのである。
また、前軸２３には、前記ボールペンチップ１９を覆うように、キャップ９が着脱自在に取り付けられているが、実質的にはそのキャップ９の内側に固定された樹脂製の内キャップ２５によって前記ボールペンチップ１９が密閉した状態で覆われている。符号２６は、ボールペンチップ１９のインキ吐出口部を覆うゴム状パッキンであり、インキ吐出口部やボール２２の乾燥を防止している。
【０００７】
ここで、更に商品のアイテムを増やすために、長さの異なるボールペンユニット２７を前記軸筒１内に収容すると、前記コイルスプリング１５がボールペンユニットの長さに応じて伸縮する。図３に示す例は、前例よりも長いボールペンユニット２７を適用した例であり、コイルスプリング１５が縮んだ状態となっている。
尚、以上の例においては、筒状部材１３を尾栓２と中軸３とによって挟持しているが、
尾栓２８の内面にリブ２９を形成するなどして筒状部材３０を保持させても良い（図４参照）。この様に、筒状部材を尾栓や中軸、或いは軸筒に保持させることによって、筆記体（ボールペンユニット）の軸筒に対する装着作業や交換作業が更に容易なものとなる。
また、例示したコイルスプリングは、縦方向において均一な直径を有しているが、円錐状のコイルスプリングを使用することによって、より長さの異なる筆記体に対応させることができる。即ち、均一な直径を有しているコイルスプリングは、コイルが密着してしまうとそれ以上は縮まないのに対し、円錐状のコイルスプリングはコイルが密着することなく縮むことができるのである。
【０００８】
【発明の効果】
本発明は、軸筒内に筆記体が収容された筆記具であって、軸筒内に筆記体が収容された筆記具であって、前記軸筒の後部に尾栓を螺合によって固定すると共に、前記筆記体の後部と軸筒後端部との間に弾撥部材と硬質部材を介在させ、また、その硬質部材を前記軸筒と尾栓とで挟持したので、筆記感が良好であると共に、生産性や筆記体の交換作業が容易な筆記具を提供することができる。
【図面の簡単な説明】
【図１】  基となる筆記具を示す縦半断面図。
【図２】  本発明の１例を示す縦半断面図。
【図３】  他の筆記体を収容した状態を示す要部縦半断面図。
【図４】  変形例を示す要部縦半断面図。
【符号の説明】
１      軸筒
２      尾栓
３      中軸
４      ねじ部材
５      リング
６      ペン先
７      万年筆ユニット
８      インキカートリッジ
９      キャップ
１０    内キャップ
１１    クリップ
１２    尾冠
１３    筒状部材
１４    鍔部
１５    コイルスプリング
１６    ボールペンユニット
１７    インキタンク部
１８    蓋体
１９    ボールペンチップ
２０    継ぎ手部材
２１    コイルスプリング
２２    ボール
２３    前軸
２４    先部材
２５    内キャップ
２６    ゴム状パッキン
２７    ボールペンユニット
２８    尾栓
２９    リブ
３０    筒状部材
【図１】
0003803863.tif 000002
【図２】
0003803863.tif 000003
【図３】
0003803863.tif 000004
【図４】
0003803863.tif 000005